(57)【特許請求の範囲】
【請求項１】
天板と、この天板を支持する外郭と、前記天板外周部に載置する枠体とを備え、前記外郭には前記天板の外周部に凹部を備え、前記枠体は少なくとも下端部の内寸を前記天板の外寸より大とし、前記外郭凹部を閉路となった溝とし前記枠体下端部を係合して、前記枠体の内側に前記凹部による溝が形成されてなる誘導加熱調理器。
【発明の詳細な説明】
【０００１】
【産業上の利用分野】
本発明は誘導加熱調理器に関するものである。
【０００２】
【従来の技術】
近年、誘導加熱調理器は安全性が高い点に注目が高まっているが、さらに安全性や使い勝手を向上させることも望まれている。
【０００３】
以下、従来の誘導加熱調理器について図１４に基づき説明する。図において、４は天板１上に載置された鍋であり、加熱コイル３により磁気的に誘導加熱される。また、天板１は外郭２により支持されている。
【０００４】
【発明が解決しようとする課題】
しかし、上記の従来構成では、次のような問題があった。すなわち、天板１の上面は外郭２の上面よりも高い位置にあり、かつ上面が平面で構成されるため、調理時に鍋４の中の調理物を混ぜるなどして鍋４に力が加わると、天板１上で鍋４が天板１上から滑り落ちる場合があった。
【０００５】
本発明は、上記課題を解決するもので、第１の目的は天板の上で鍋が滑り落ちないようにするとともに、そのための構成部品の傷付きを抑え耐久性を向上することにある。
【０００６】
【課題を解決するための手段】
また、上記第１の目的を達成するために、本発明は天板と、この天板を支持する外郭と、前記天板外周部に載置する枠体とを備え、前記外郭には前記天板の外周部に凹部を備え、前記枠体は少なくとも下端部の内寸を前記天板の外寸より大とし、前記外郭凹部を閉路となった溝とし前記枠体下端部を係合して、前記枠体の内側に前記凹部による溝が形成されてなる、ものである。
【０００７】
【実施例】
（実施例１）
以下本発明の第１の実施例について、図１〜図２を参照しながら説明する。
【０００８】
図において、１１は結晶化ガラスなど無機材料からなる天板、１２は天板１１を支持する樹脂製の調理器本体の外郭、１３は調理器本体と着脱自在で外郭１２の上に載せて使用する樹脂製の枠体であり、１４は加熱コイル、１５は天板１１に載せて調理する市販の鍋である。そして、枠体１３の形状は天板外形と略同形状で、縦・横の内寸Ａ・Ｂは天板１１の縦・横の外寸Ｃ・Ｄよりも大きくしている。また、外郭１２の上面は天板１１の上面よりも低くし、枠体１３を外郭１２の上面に載せたときの枠体上端面Ｅを天板上面Ｆよりも高く構成している。
【０００９】
以上のように構成された誘導加熱調理器についてその動作を説明する。枠体１３の内寸は天板１１の外寸よりも大きく、また天板１１上面よりも外郭１２の上面の方が低いので、枠体１３を外郭１２に載せることにより、天板１１の外寸との寸法差で生じるガタツキ内に位置が規制される。このため、天板１１の上に置いた鍋が滑るなどして位置がずれて天板１１から外れ落ちそうになっても、枠体１３に当たることによりずれ落ちを制止できる。
【００１０】
なお、本実施例では枠体１３を樹脂製としたがこれに限るものではなく、金属製にすれば加熱コイル１４が発する漏れ磁束を低減し、輻射ノイズを小さくすることもできる。
【００１１】
また、本実施例では天板１１と枠体１３の形状を略四角形としたがこれに限るものでなく、円形でも当然に同様の効果を得ることができものである。
【００１２】
（実施例２）
以下本発明の第２の実施例について、図３〜図４を参照しながら説明する。
【００１３】
図において、３１は天板、３２は外郭、３３は枠体である。また、３４は加熱コイル、３５は外郭３２上面の凹部であり、この凹部３５は天板３１の外周部において閉路となった溝となっており、凹部の外寸Ｍ・Ｎは枠体３３の外寸Ｏ・Ｐより若干大きい程度とし、枠体３３の内側には凹部３５による幅Ｑの溝が形成される。
【００１４】
上記のような構成によれば、鍋で調理中に煮こぼれが生じても幅Ｑの溝に溜まるため、本体外方まで達してテーブル面を汚すことを低減することができる。
【００１５】
また図５は枠体４３の外寸の大きさを変えた場合を示すもので、枠体４３の内寸Ｒを外郭上面に構成した凹部４５の内寸Ｓより若干大きい程度とした場合であり、この場合も枠体４３の下部にスリット等を設けることにより、煮こぼれが生じても同様の効果を得ることができる。
【００１６】
（実施例３）
以下本発明の第３の実施例について図６〜図７を参照しながら説明する。
【００１７】
図において、５１は天板、５２は調理器本体の外郭、５３は枠体、５４は加熱コイル、５５は市販の鍋である。そして、枠体５３の形状は、その下端部を天板５１の外形と略同形状とし、縦・横の内寸を天板５１の縦・横の外寸よりも大きくし、枠体５３の上端部の縦・横内寸を天板５１の縦・横外寸よりも小さくしている。また、外郭５２の上面は天板５１の上面より低くし、枠体５３を外郭５２の上面に載せたときに、枠体上端面を天板上面よりも高くなるように構成している。
【００１８】
上記のように構成された誘導加熱調理器では、鍋５５が嵌まる部分の枠体の最小寸法すなわち上端部の内寸が天板５１外寸より小さいので、鍋５５がずれる範囲を狭めることができ、小さな鍋を使用する際の使い勝手の向上を図ることができる。
【００１９】
図８および図９は別の実施例を示すもので、６１は天板、６２は調理器本体の外郭、６３は枠体、６４は加熱コイルであり、外郭６２上面には閉路となった凹部６５を備え、枠体６３下部が凹部６５の外壁に嵌合するように構成されている。
【００２０】
以上のような構成により、鍋がずれる範囲を天板６１外寸より狭い範囲に抑え、小さな鍋を使用する際の使い勝手を向上させることができるのに加え、外郭６２上面に凹部６５が形成されているので、調理時に煮こぼれが生じても凹部に溜まり、本体外方まで達してテーブル面を汚すことを低減させることができる。
【００２１】
図１０は別の実施例を示すもので、７１は天板、７２は調理器本体の外郭、７３は枠体であり、枠体７３上方の開口形状を略円形としている。このような形状にすれば、通常使われることの多い円形状の鍋に対して、鍋が嵌まる枠体７３の開口形状が略一致することにより、一層使い勝手の向上が図れる。
【００２２】
（実施例４）
以下本発明の第４の実施例について図１１〜図１２を参照しながら説明する。
【００２３】
図において、２１は天板、２２は天板２１を支持する調理器本体樹脂製の外郭、２３は調理器本体と着脱自在で外郭２２の上に載せて使用する樹脂製の枠体であり、２４は加熱コイルである。そして、枠体２３の縦・横の内寸Ｇ・Ｈは天板の縦・横の外寸Ｉ・Ｊよりも大きくし、枠体２３を外郭２２の上面に載せたときの枠体上端面Ｋを天板上面Ｌよりも高くなるように構成している。また、天板２１外方の外郭２２上面に複数の凹部２５を設け、枠体２３の下面には外郭２２に設けた凹部２５と相対する位置に複数の凸部２６を設け、枠体２３を外郭２２に載せるときに凹部２５と凸部２６とが嵌合するように構成されている。
【００２４】
上記のように構成された誘導加熱調理器においては、天板２１の端面と枠体２３とを直接接触させずに凹部２５と凸部２６とを嵌合して固定しているため、枠体２３の傷付きを抑え、耐久性を向上させることができる。
【００２５】
また、図１３に示すように、略円形の天板８１外側の外郭８２に天板８１の中心に対し略対称位置に凸部８４を設け、枠体８３の内周には凹部８５を設けた状態で凸部８４と凹部８５とを噛み合わせて載置し、図１３中の矢印方向に枠体８３を回転させて固定する係合手段を設けることにより、外枠２２に凹部２５等を設けた場合と同様な効果を得ることが可能であり、また、枠体下部にフランジ状の突起を設け、これを外郭に引っかけて固定するようなものであっても同様の効果を得ることができる。
【００２６】
【発明の効果】
以上のように本発明は、外郭には天板の外周部に凹部を備え、この凹部に枠体下端部を係合することにより、鍋ずれを低減するための構成部品である枠体の傷付きを抑え耐久性を向上させることができる。
【図面の簡単な説明】
【図１】  本発明の第１の実施例における誘導加熱調理器の分解斜視図
【図２】  同、誘導加熱調理器の断面図
【図３】  本発明の第２の実施例における誘導加熱調理器の分解斜視図
【図４】  同、誘導加熱調理器の断面図
【図５】  同、実施例における別な枠体を構成要素とする誘導加熱調理器の断面図
【図６】  本発明の第３の実施例における誘導加熱調理器の分解斜視図
【図７】  同、誘導加熱調理器の断面図
【図８】  同、実施例における別な外郭を構成要素とする誘導加熱調理器の分解斜視図
【図９】  同、誘導加熱調理器の断面図
【図１０】  同、実施例における別な枠体及び外郭を構成要素とする誘導加熱調理器の分解斜視図
【図１１】  本発明の第４の実施例における誘導加熱調理器の分解斜視図
【図１２】  同、誘導加熱調理器の断面図
【図１３】  同、実施例における別な枠体及び外郭を構成要素とする誘導加熱調理器の分解斜視図
【図１４】  従来の誘導加熱調理器の断面図
【符号の説明】
１１  天板
１２  外郭
１３  枠体
１４  加熱コイル
１５  鍋
【図１】
0003697736.tif 000002
【図２】
0003697736.tif 000003
【図３】
0003697736.tif 000004
【図４】
0003697736.tif 000005
【図５】
0003697736.tif 000006
【図６】
0003697736.tif 000007
【図７】
0003697736.tif 000008
【図８】
0003697736.tif 000009
【図９】
0003697736.tif 000010
【図１０】
0003697736.tif 000011
【図１１】
0003697736.tif 000012
【図１２】
0003697736.tif 000013
【図１３】
0003697736.tif 000014
【図１４】
0003697736.tif 000015